Podtech/llm-jp-corpus-v4-ja_patent huggingface dataset:
(57)【要約】【課題】            主食用食材の摂取量を少なくして肥満や成人病を防止するダイエット用振り掛けを提供する。【解決手段】        この発明のダイエット用振り掛けは、穀類を主材とする主食用食材に添加することにより食欲を減退させる色に上記食材を着色するものであり、上記着色剤をブルーベリーから抽出され食材を青系の色に着色する材料とし、又は着色剤をいかすみを材料とし、食材に黒色の着色をするものとした。  その他、振り掛けに食物繊維，ミネラル類，食物の消化剤，ビタミン剤の一種又は複数種を組合せて添加することもできる。【選択図】          なし【特許請求の範囲】
【請求項１】
穀類を主材とする主食用食材に添加することにより食欲を減退させる色に上記食材を着色する可食性着色剤を含むダイエット用振り掛け。
【請求項２】
着色剤をブルーベリーから抽出され食材を青系の色に着色する材料とした請求項１のダイエット用振り掛け。
【請求項３】
着色剤をいかすみを材料とし、食材に黒色の着色をするものとした請求項１のダイエット用振り掛け。
【請求項４】
食物繊維，ミネラル類，食物の消化剤，ビタミン剤の一種又は複数種を組合せて添加してなる請求項１，２又は３のダイエット用振り掛け。
【発明の詳細な説明】
【技術分野】
【０００１】
この発明は主として人の主食である穀類を材料とする食材に添加することによって食欲を減退させる色に着色するダイエット用振り掛けに関する。
【背景技術】
【０００２】
従来の振り掛けは、米飯に添加することにより主として副食材又は副食材の代用として使用するもので、食欲を増進させるものが大半である。
また一般のダイエットは通常の食事の副食材としての動物性タンパク質や脂質等の摂取を控えるほか、特に余剰エネルギー源となる米飯やパン、麺類等デンプン質を主材とする主食を減らすことを重視している。
【発明の開示】
【発明が解決しようとする課題】
【０００３】
しかし、主食の摂取の抑制は毎食の満腹感を抑制することであり、これを日常的に続けることは一般に苦痛を伴い、ストレスの原因にもなるという問題がある。
また高脂質や高タンパクの副食を避けるために使用される振り掛けも、既述のように主食の摂取を増進するように調整されているものしかないために、ダイエットの目的には必ずしも適さないだけでなく、多用すると栄養の偏りや塩分の過剰摂取を招く等の欠点がある。
【０００４】
この発明は、これらの問題を解決するために、最も肥満の原因となり易いエネルギーの過剰摂取を抑制するために、主に米飯に対して振り掛けることにより、心理的に食欲を減退させる振り掛けを提供せんとするものである。
【課題を解決するための手段】
【０００５】
上記課題を解決するための本発明の振り掛けは、第１に穀類を主材とする主食用食材に添加することにより食欲を減退させる色に上記食材を着色する可食性着色剤を含むことを特徴としている。
【０００６】
第２に、着色剤をブルーベリーから抽出され食材を青系の色に着色する材料としたことを特徴としている。
【０００７】
第３に、着色剤をいかすみを材料とし、食材に黒色の着色をするものとしたことを特徴としている。
【０００８】
第４に、食物繊維，ミネラル類，食物の消化剤，ビタミン剤の一種又は複数種を組合せて添加してなることを特徴としている。
【発明の効果】
【０００９】
以上のように構成される本発明によれば、肥満の原因となり易い米飯を中心とする主食に振り掛けることにより、通常人の食欲を減退させる心理的効果を与える青色系、黒色系その他の着色をし又は発色させることができる。
【００１０】
また上記のような着色又は発色効果をもつ着色剤は可食性を備えているので、適度な量であれば人体に悪影響を及ぼすことはない。特に食欲減退に心理的効果があるとされる青色系、黒色系の着色剤の原料であるブルーベリーやいかすみは日常のデザートやジュースの原料又は食材として使用されるもので、安全性や味覚を損なう懸念もない。
【００１１】
その他振り掛けには人体に有益な食物繊維やミネラル類、消化促進剤等を添加することにより健康食品としての機能性をもたせることができる利点がある。
【発明を実施するための最良の形態】
【００１２】
以下本発明の実施形態につき説明すると、振り掛けには一般に使用される調味材としての精製された塩の他、栄養補助材及び弱い甘味料としての乳糖，食物繊維性食材としての結晶セルロース，不足し易い栄養素であるパウダー状のカルシウム（卵殻カルシウム），青紫系の着色剤となるブルーベリー抽出色素等が使用され、いずれも人体に有用な可食性食材からなっている。
【００１３】
着色剤原料には一般に食用されるいかすみ等を用い、黒色系の着色を行うものとしてもよい。その他着色剤原料としては可食性を有する植物又は動物を原料としたものを用いることができ、着色の色の種類は日本人が食品用の色としては食欲を減退させると言われている青系又は黒系のものとしたが、可食性のものであれば性別，年齢差，地域差，宗教差，国民性等に応じて色と原料は任意に選択できる。
【実施例１】
【００１４】
表１は発明者によって実施された本発明の振り掛けの材料とその配合例を示し、この例では全体を水又は温水によって溶解させたものを顆粒状に生成したがパウダー状のものでも良い。
【００１５】
【表１】
2007053961.tif 000002
【００１６】
上記例のものは、製品自体は薄紫状の色であるが、米飯に振り掛けることによって青紫状に着色され又は発色する。
表２は上記実施例の製品成分の分析試験結果を示し、全体に少なくとも有害物は含まれず、食品としての安全性も確保されていることが明らかである。
【００１７】
【表２】
2007053961.tif 000003
【００１８】
＜振り掛けによるダイエット方法と効果について＞
生活が近代化するに伴い現代人の味覚は低下し、食欲の大半が視覚に左右されると言われているが、人の脳の機能は「快」と「不快」を識別し、不快なものを避けようとすることが知られている。この発明は食欲発生に大きく影響する人の視覚性と、不快に対する人の脳の忌避作用を利用したダイエットのサポートを、食事に対して忌避効果をもたらすように着色をする振り掛けによって行うものである。
【００１９】
ダイエットに効果的なものは主食の抑制であり、特に多量のエネルギー摂取の機会となる夕食が効果的である。発明者等の実験によれば毎夕食に食欲低下をさせる色の主食の提供を受けると、およそ７日間でその食事の忌避効果が表われ、３週間で概ね固定観念となり、不快に着色された主食（米飯）をイメージすることにより、明らかに食事量が減少し、ダイエット効果が表われることが確認された。
(57)【要約】【課題】除雪作業の安定性を図れる除雪プラウ装置を提供する。【解決手段】プラウ本体15の裏面にピン17によりスキー取付部18を回動自在に軸支する。このスキー取付部18のスキー軸嵌着筒部22に、スキー23上に取付けたスキー軸24を昇降可能に嵌着する。スキー23は、スキー軸24に対して回動軸28によりスキープレート25を回動自在に連結する。スキー取付部18とスキー23との間に、緩衝用のサスペンション機構31を設ける。【選択図】図１
2007270530.tif 000002
【特許請求の範囲】
【請求項１】
プラウ本体と、
プラウ本体の裏面に回動自在に軸支されたスキー取付部と、
スキー取付部に昇降可能に設けられたスキーと、
スキー取付部とスキーとの間に設けられた緩衝用のサスペンション機構と
を具備したことを特徴とする除雪プラウ装置。
【請求項２】
スキー取付部に対してスキーを機能解除した状態で固定する固定手段
を具備したことを特徴とする請求項１記載の除雪プラウ装置。
【発明の詳細な説明】
【技術分野】
【０００１】
本発明は、スキーを備えた除雪プラウ装置に関するものである。
【背景技術】
【０００２】
ホイールローダなどの作業機械に取付けられた作業装置の１つである除雪プラウ装置には、除雪時の安定性、雪塊等障害物走破性を良好にするために、プラウ本体の両脇接地面にスキーを備えている構造のものがある（例えば、特許文献１参照）。
【特許文献１】特開２００１−１５９１１１号公報（図１）
【発明の開示】
【発明が解決しようとする課題】
【０００３】
実作業では、路面状況によりスキーが突上げられるため、安定した除雪を行なうには、未だに熟練オペレータの経験に頼る面も残っている。
【０００４】
本発明は、このような点に鑑みなされたもので、除雪作業の安定性を図れる除雪プラウ装置を提供することを目的とするものである。
【課題を解決するための手段】
【０００５】
請求項１記載の発明は、プラウ本体と、プラウ本体の裏面に回動自在に軸支されたスキー取付部と、スキー取付部に昇降可能に設けられたスキーと、スキー取付部とスキーとの間に設けられた緩衝用のサスペンション機構とを具備した除雪プラウ装置である。
【０００６】
請求項２記載の発明は、請求項１記載の除雪プラウ装置において、スキー取付部に対してスキーを機能解除した状態で固定する固定手段を具備したものである。
【発明の効果】
【０００７】
請求項１記載の発明によれば、スキー取付部とスキーとの間に設けられたサスペンション機構により、路面状況によりスキーが突上げられると、サスペンション機構が機能して、突上衝撃を吸収するので、プラウ本体まで突上衝撃が及ぶことなく、プラウ本体は安定した除雪作業を行なえる。
【０００８】
請求項２記載の発明によれば、固定手段により、スキー取付部に対してスキーを機能解除した状態で固定することで、プラウ本体を自在に操作できる熟練オペレータにも対応できる。
【発明を実施するための最良の形態】
【０００９】
以下、本発明を、図１および図２に示された一実施の形態を参照しながら詳細に説明する。
【００１０】
図２に示されるように、ホイールローダなどの作業機械11に用いられる機体12から突出された作業腕13に、除雪プラウ装置14が装着されている。
【００１１】
図１に示されるように、この除雪プラウ装置14は、プラウ本体15の裏面に上下１対の軸受ブラケット16が取付けられ、これらの軸受ブラケット16に挿着されたピン17によりスキー取付部18が回動自在に軸支されている。
【００１２】
このスキー取付部18は、ピン17に回動自在に嵌着されるピン嵌着筒部21と、スキー軸嵌着筒部22とを備え、スキー軸嵌着筒部22には、スキー23上に取付けられたスキー軸24が昇降可能に嵌着されている。
【００１３】
スキー23は、スキープレート25の下面にスキー本体26が装着され、スキープレート25の上面に１対の取付板27が一体に設けられ、これらの取付板27とスキー軸24とが回動軸28により回動自在に連結されている。
【００１４】
スキー取付部18とスキー23との間には、緩衝用のサスペンション機構31が設けられている。このサスペンション機構31は、スキー軸嵌着筒部22の内部で、上側の軸32に対してスキー軸24が昇降自在に嵌合され、上側の軸32に設けられたフランジ33と、スキー軸24に設けられたフランジ34との間にコイルスプリング35が嵌着されたものである。
【００１５】
スキー軸嵌着筒部22およびスキー軸24には、スキー取付部18に対してスキー23を機能解除した状態で固定する固定手段としてのピン36が挿着されている。このピン36の一端には、摘み37が取付けられている。
【００１６】
次に、この実施の形態の作用効果を説明する。
【００１７】
ピン36を引抜くと、スキー取付部18とスキー23との間に設けられたサスペンション機構31が機能し、そのコイルスプリング35によりスキー23が下方へ押出され、接地状態となる。
【００１８】
この接地状態で、除雪作業中に路面の凹凸などによりスキー23が突上げられると、コイルスプリング35が圧縮されながら、突上衝撃を吸収するので、プラウ本体15まで突上衝撃が及ぶことなく、プラウ本体15は安定した除雪作業を行なえる。
【００１９】
一方、図１に示されるようにスキー23を上昇させた状態でピン36を挿着して、スキー取付部18に対してスキー23を機能解除した状態で固定すると、プラウ本体15を自在に操作できる熟練オペレータにも対応できる。
【００２０】
なお、スキー取付部18に対してスキー23を固定する固定手段は、ピン36を例示しているが、このピン36に限定されるものではなく、スペーサやカラーなどによりスキー軸24の昇降動作を固定するようにしても良い。
【００２１】
さらに、スキー23を固定する固定手段は、例えばスキー軸24に複数段のピン挿入孔を穿設しておくことにより、スキー23の設置高さを選択できるようにしても良い。
【００２２】
また、サスペンション機構31は、コイルスプリング35を用いているが、流体を利用したダンパすなわちショックアブソーバを替わりに、または併用して用いても良い。
【図面の簡単な説明】
【００２３】
【図１】本発明に係る除雪プラウ装置の一実施の形態を示す断面図である。
【図２】同上プラウ装置を装着した作業機械の斜視図である。
【符号の説明】
【００２４】
14    除雪プラウ装置
15    プラウ本体
18    スキー取付部
23    スキー
31    サスペンション機構
36    固定手段としてのピン
【図１】
2007270530.tif 000003
【図２】
2007270530.tif 000004
(57)【要約】【課題】  ビヨトープ形態の，環境を重視して造られた植栽用穴明きＵ字溝を提供する。【解決手段】  Ｕ字溝に水の抵抗が少ない角度で，内側から外側に広がるよう貫通した穴１を造るための中枠ゴム型枠３を用いて工作する事を特徴とする。【選択図】図１
2007270593.tif 000002
【特許請求の範囲】
【請求項１】
植裁用穴の明いた，Ｕ字溝ａ及びＨ型Ｕ字溝ｂとｃ。
【発明の詳細な説明】
【技術分野】
【０００１】  この発明は，水草等を植え，水棲生物の産卵や遡上がし易く，生息環境を良くするための，穴の明いた植栽用Ｕ字溝である。
【背景技術】
【０００２】  現在のＵ字溝では縁が崩れない水を流すだけで，生き物への配慮なく，絶滅の危惧種があるにも係わらず改善されないまま今日至っている。
【発明の開示】
【発明が解決しようとする課題】
【０００３】  したがって，Ｕ字溝の流域に半翅目や鞘翅目及び他の水生昆虫類等の棲む生息環境を構築できなかった，そこでＵ字溝に穴を設け水草等を植え，蓋のないＵ字溝域に自然を取り戻すために発明したエコ水路である。
【課題を解決するための手段】
【０００４】  また急流下に於いては，移植時根元に粘質の土を用い支柱で固定し根付く迄透明のカバーで覆って置く，そのため水の抵抗が緩和され移植が容易に解決できる。
【発明を実施するための最良の形態】
【０００５】  以下，本発明を具体化した穴の工作型枠組立実施形態を図面に基づいて説明る。
Ｕ字溝ａで図８に示すように，内側の型枠７と外側型枠８の間に，中枠ゴム盤型３を挟む。穴の位置を避けて鉄筋を組み込み，モルタル等の凝固材を流し込む。
Ｈ型Ｕ字溝に於いても同じ工法を用る。【０００６】  暗渠式Ｈ型ｃの連なる両端または所々に，上下仕切りの一部分を取り除いた，開口部として現れるＨ型ｂを，生物の通用と地上からの明りを取込むため繋げて設置し，図１に示す下流側のｂ５の箇所を土の抉れ防止にモルタルで塞ぐ。
【発明の効果】
【０００７】  Ｕ字溝の中に土の部分がある事により，水草等を植える事で，自然の棲息連鎖が生じ，豊かな生態系を育む，またＨ型Ｕ字溝の下に沈みを防ぐ短く，隙間の開く底蓋６をを設けることで，浸透した水がやがて地下水となる。。
【０００８】  水田地帯，秋の収穫前時の止水後，水捌けを兼ねた，Ｈ型Ｕ字溝の下部地帯域の水溜りに，ナマズや泥鰌及びその他，淡水の生物等が越冬できる。
【０００９】  河川や水路にも葦等を植える事で水質浄化や二酸化炭素削減及び気温さえも下げ，自然の法則性に与するところ大であり，また洪水の濁流に水際の植生に於いても，根刮ぎ流される事はない。
【発明を実施するための最良の形態】
【００１０】  この新規性のある，ゴムを基板とした型枠３の凸部２は，形や大きさ角度，列数等，また材質に於いても多彩に応用できる穴明き工法。
【図面の簡単な説明】
【００１１】
【図１】設置例の斜視図である。
【図２】設置例の底蓋取り除いた底面図である。
【図３】設置例の上面図である。
【図４】ゴム型３の上面図である。
【図５】ゴム型３の正面図である。
【図６】ゴム型３の側面図である。
【図７】Ｈ型Ｕ字溝の斜視図である。
【図８】Ｕ字溝ａの型枠組の側断面図である。
【符号の説明】
【００１２】    ａ  Ｕ字溝
ｂ  上下仕切の一部を取り除いたＨ型Ｕ字溝
ｃ  Ｈ型Ｕ字溝
１  穴
２  穴を作るためのゴム型の凸部
３  ゴム盤型枠
４  繋ぎ合わせ目
５  モルタルで塞いだ部分
６  底蓋
７  内側型枠
８  外側型枠
９  上下仕切りを取り，開いたいた口部
【図１】
2007270593.tif 000003
【図２】
2007270593.tif 000004
【図３】
2007270593.tif 000005
【図４】
2007270593.tif 000006
【図５】
2007270593.tif 000007
【図６】
2007270593.tif 000008
【図７】
2007270593.tif 000009
【図８】
2007270593.tif 000010
(57)【要約】      （修正有）【課題】鍵の所有者以外の人が鍵の形状だけでは簡単に開錠できないように、認証が一致しなければ開錠しない防犯ドアロックの提供。【解決手段】サブキーのキー本体３に、複数の接点を持ち接点間を所定のパターンで接続した基板２と、カバー１を設け、電気的信号を有線で送るよう構成した。サブキーをサブキー装置に挿入して回動したとき、正しいパターンのサブキーならば作動リレー、開錠リレーが作動して開錠する。間違ったパターンのサブキーを挿入すると警報ブザーおよび警告灯を作動し、開錠しない構造とした。【選択図】図３
2007270594.tif 000002
【特許請求の範囲】
【請求項１】
鍵の所有者以外の人が鍵の形状だけでは簡単に開錠できないように電気的信号を有線で送るサブキー機能を活用することで認証が一致しなければ開錠しないと同時に警報ブザーおよび警告灯を作動する構造とした防犯ドアロック。
【発明の詳細な説明】
【技術分野】
【０００１】  本発明は鍵の所有者以外の人が鍵の形状だけで簡単に開錠できないようサブキー機能を活用して認証が一致しない場合は開錠しないで同時に警報ブザーおよび警告灯を作動する構造とした防犯ドアロック関するものである。
【背景技術】
【０００２】  従来の鍵では正規のキーを一時的に入手すれば、その形状を非常に短時間で簡単に複製できたことから盗難被害に遭う可能性が高い問題があった。
【発明が解決しようとする課題】
【０００３】  従来技術には、次のような欠点があった。
従来の鍵ではスペアキー作製器具等の方法によって一時的に正規の鍵を入手することで外形を掌握するか、あるいはキー番号を参照すれば簡単に偽造や複製が可能であったので鍵の所有者が知らぬ間に開錠される可能性があった。
【課題を解決するための手段】
【０００４】  鍵の所有者以外の人が鍵の形状だけでは簡単に開錠できないように電気的信号を有線で送るサブキー機能を活用することで認証が一致しなければ開錠しないと同時に警報ブザーおよび警告灯を作動する構造とした防犯ドアロックである。
【発明の効果】
【０００５】  本発明は、簡単に鍵が複製できないようにサブキーＸＢＫを設けている。また、同時に操作性に対しても配慮している。サブキーＸＢＫの電気的組合せはその接点の数がｎピン（ｎは自然数）であるかによって決まる。この場合ｎ×（ｎ−１）通りのパターンの中で唯一のパターンを持ったサブキーＸＢＫでない場合には警報ブザーと警告ランプによって犯罪者を威嚇すると同時に鍵が開錠できない構造とする。
【発明の実施をするための最良の形態】
【０００６】  以下、本発明の実施をするための最良の形態について説明する。
（イ）作動リレーＫＡを自己保持する回路と並列にサブキー装置ＡＳＫを接続する。
（ロ）警報ブザーＨＡと点滅警告灯ＨＬに作動拒絶リレーＫＲのコイルを並列接続する。
（ハ）作動拒絶リレーＫＲのＢ接点および作動リレーＫＡのコイルをＳＢスイッチＳ１と直列に配置する。
（ニ）作動リレーＫＡのＡ接点と直列に開錠スイッチＳ２を設ける。
（ホ）開錠許可リレーＫＭのコイルと直列に室内開閉錠スイッチＳ３を設ける。
（ヘ）開錠許可リレーＫＭのＢ接点と直列に閉錠リレーＫＭＫのコイルを設ける。
（ト）作動リレーＫＡのコイルと直列に閉錠スイッチＳ４を設ける。
本発明は、以上の構成よりなっている。
本発明を使用するには、サブキーＸＢＫをサブキー装置ＡＳＫに挿入する。ここで従来と同じように鍵を回すことでＳＢスイッチＳ１を閉状態とする。そうすれば、作動リレーＫＡが作動する。さらに開錠スイッチＳ２を閉状態となるようキースイッチを回転すれば閉錠許可リレーＫＭが作動して自己保持回路が作動する。そして閉錠リレーＫＭＫが機能することで開錠できる。ここでのサブキーＸＢＫは従来の鍵と一体構造とすれば利便性を高めることもできる。できればサブキーＸＢＫの電気的接点を通常はカバー等で保護して使用するときだけカバーが開く構造とすると良いだろう。本発明は、サブキーＸＢＫ無しで絶対にエンジンは始動せず間違ったパターンのサブキーＸＢＫを挿入すると警報ブザーおよび警告灯を作動する。またサブキーＸＢＫのすべての端子を短絡した場合に犯罪者が強引に操作を行うと開錠してしまうことのないようにする目的で、作動拒否リレーＫＲのコイルを警報ブザーＨＡおよび点滅警告灯ＨＬと並列接続することで絶対に開錠できない構造とする。図４に単独で動作するＳ３を除いた室外から操作する各スイッチの動作状況を図示している。本発明は雨天時に万一キー接点に過度に水滴が付着した影響でサブキーＸＢＫのすべての端子が短絡した場合であっても警報ブザーＨＡと点滅警告灯ＨＬが作動するだけであるので装置そのものが故障することはない。従って、不都合を感じる場合はその発生頻度等の状況に応じて盗難防止装置としての性能は低下するが警報ブザーＨＡの動作回路に一定時間の遅延回路を追加することで、使用者に違和感を与えないように配慮した本発明の活用方法もあるだろう。またＡＳＫサブキー装置の構造は鍵を差し込むときだけ開く構造として普段は接点を保護すると良いだろう。さらに停電状態で開錠できない点を解消するように図５のように電池でバックアップする機構を付加すると最良である。
【図面の簡単な説明】
【０００７】
【図１】  本発明の電気回路図（電気的構造図）である。
【図２】  本発明のサブキーＸＢＫの斜視図である。
【図３】  本発明のサブキーＸＢＫの分解斜視図である。
【図４】  本発明のＳ１、Ｓ２およびＳ４スイッチの動作状況の説明図である
【図５】  本発明の無停電電源の説明図である。
【符号の説明】
【０００８】    ＫＡ      作動リレー
ＫＲ      作動拒絶リレー
ＫＭ      閉錠許可リレー
ＫＭＫ    閉錠リレー
ＸＢＫ    サブキー
ＡＳＫ    サブキー装置
Ｓ１      ＳＢスイッチ
Ｓ２      開錠スイッチ
Ｓ３      室内開閉錠スイッチ
Ｓ４      閉錠スイッチ
ＨＡ      警報ブザー
ＨＬ      点滅警告灯
ＲＤ      赤色
＋Ｖ      正極
−Ｖ      負極
１        カバー
２        基板
３        キー本体
Ｄ１      充電用ダイオード
Ｄ２      バックアップ給電用ダイオード
Ｃ        コンデンサ
Ｅ        電池
ＡＤＲ    ドアロック装置
ＫＩ      キー挿抜位置
Ｏ        開錠位置
Ｃ        閉錠位置
ＯＮ      スイッチ閉（黒塗）
ＯＦＦ    スイッチ開（白抜）
【図１】
2007270594.tif 000003
【図２】
2007270594.tif 000004
【図３】
2007270594.tif 000005
【図４】
2007270594.tif 000006
【図５】
2007270594.tif 000007
(57)【要約】【課題】使用後の気泡混合軽量土軽量土を処理する場合、処理費が嵩まずかつ簡単に処理できる気泡混合軽量土の処理方法を提供することである。【解決手段】気泡混合軽量土の処理方法は、気泡混合軽量土１の使用後に、該気泡混合軽量土１中の気泡５を潰して体積を減少させることである。【選択図】図１
2007270429.tif 000002
【特許請求の範囲】
【請求項１】
気泡混合軽量土の使用後に、該気泡混合軽量土中の気泡を潰して体積を減少させることを特徴とする気泡混合軽量土の処理方法。
【請求項２】
気泡混合軽量土中の気泡量を任意の量に管理することを特徴とする請求項１に記載の気泡混合軽量土の処理方法。
【請求項３】
気泡混合軽量土中の気泡量は全体積の３０％以上であることを特徴とする請求項１または２に記載の気泡混合軽量土の処理方法。
【請求項４】
気泡混合軽量土中の気泡量の７０％以上を潰すことを特徴とする請求項１〜３のいずれかに記載の気泡混合軽量土の処理方法。
【発明の詳細な説明】
【技術分野】
【０００１】
本発明は気泡混合軽量土の処理方法に関するものである。
【背景技術】
【０００２】
通常、軟弱地盤などの地盤改良をする場合、軟弱地盤内に改良機械を搬入するための仮設道路を気泡混合軽量土などで盛土造成し、地盤改良が終了した後に、この仮設道路を解体して、その残土を他の箇所に運搬処理している。またこの他の気泡混合軽量土の処理方法としては、例えば特開２００４−１５６２７５号公報の発明が開示されている。
【特許文献１】特開２００４−１５６２７５号公報
【発明の開示】
【発明が解決しようとする課題】
【０００３】
しかし、上記のように気泡混合軽量土で盛土造成した仮設道路を解体して処理する場合は、盛土の体積分の処理費がかかる他、この気泡混合軽量土を再利用する場合も、盛土の体積分の利用先、すなわち利用箇所の確保が必要であるため、その確保が困難であった。
【０００４】
本発明は上記のような問題に鑑みてなされたものであり、その目的は、使用後の気泡混合軽量土を処理する場合、処理費が嵩まずかつ簡単に処理できる気泡混合軽量土の処理方法を提供することである。
【課題を解決するための手段】
【０００５】
以上の課題を解決するための気泡混合軽量土の処理方法は、気泡混合軽量土の使用後に、該気泡混合軽量土中の気泡を潰して体積を減少させることを特徴とする。また気泡混合軽量土中の気泡を任意の量に管理することを含む。また気泡混合軽量土中の気泡量は全体積の３０％以上であることを含む。また気泡混合軽量土中の気泡量の７０％以上を潰すことを含むものである。
【発明の効果】
【０００６】
気泡混合軽量土の使用後に、該気泡混合軽量土中の気泡を潰して体積を減少させることにより、処理費が嵩まずかつ簡単に処理できる。また体積が減少するため再利用する際にも利用先の確保が簡単にできる。また気泡混合軽量土中の気泡量を任意の量に管理することにより、処理する箇所や再利用の箇所を自由に選ぶことが可能になった。また気泡混合軽量土中の気泡量を全体積の３０％以上にしたことにより、密度が軽くなるため軟弱地盤にかかる荷重が小さくなるとともに、沈下抑制や周辺への影響が軽減される。
【発明を実施するための最良の形態】
【０００７】
以下、本発明の気泡混合軽量土の処理方法の実施の形態を図面に基づいて詳細に説明する。この気泡混合軽量土１は盛土などを造成する箇所の土砂（土粒子）２と水３とセメント４および、体積の５０％以上の気泡５を混合して形成したものである。本発明は、このように土中に人為的に形成した気泡５を計画的に潰して気泡量を減少させることにより、気泡混合軽量土１の体積を減少させるものである。すなわち使用前に人為的に大きくしたものを、使用後に人為的に小さくして処理しようとするものである。
【０００８】
図１はこのような気泡混合軽量土１を軟弱地盤６上に盛土して造成した仮設道路７の断面図である。この気泡混合軽量土１には体積の５０％以上の気泡５が混合されているため、体積変化を大きくすることができるとともに、密度が軽くなって軟弱地盤６にかかる荷重を小さくすることができ、かつ沈下抑制や周辺地盤への影響を軽減することもできる。
【０００９】
次に、この気泡混合軽量土１からなる仮設道路７を撤去する場合は、この仮設道路７の盛土を掘削・解砕して、再利用する箇所に運搬し、ローラーやタンパなどで転圧することにより気泡混合軽量土１中の気泡５を潰して体積を小さくする。例えば、気泡混合軽量土１中の気泡量（体積の５０％以上）の７０％以上を潰すと、３５％以上の体積が減少するため、同図に示すように、再利用箇所８が小さくても対応することができる。
【００１０】
この気泡量の減少は、必要に応じて任意に設定することができ、再利用箇所８の大きさなどによって決定し、その削減量は予め決めておくものとする。
【実施例】
【００１１】
次に、本発明の実施例について説明する。下記の表１に示す配合の気泡混合軽量土を用いて材令２８日以降の強度を確認した後、気泡混合軽量土を解砕して突固めによる土の締固め試験および締固め土のコーン指数試験を行った。
【００１２】
【表１】
2007270429.tif 000003
【００１３】
この結果、解砕前の気泡混合軽量土の状態は以下の通りである。
〔試験前（解砕前）〕
湿潤密度  ０．６１ｇ／ｃｍ２
含水比    ５８．２０％
一軸圧縮強さ（ｑ１）８４０．００ＫＮ／ｍ２て（材令２８日）
〔試験後（解砕後）〕
湿潤密度  １．１５〜１．１９ｇ／ｃｍ２
含水比    ６７．０〜８０％
コーン指数（ｑＣ）８７００〜１１７００ＫＮ／ｍ２
空気間隙率  ２４．５〜２５．３％
【００１４】
この結果、気泡量が６５％から２５％に減少するため、解砕して締固めることで４０％程度の体積が減少している。また締固め後の強度としてコーン指数でｑＣ＝１００００ＫＮ／ｍ２程度が得られる。また締固め後でも湿潤密度が１．２ｇ／ｍ３程度まで上昇するが、砂盛土などの１．８ｇ／ｍ３に比べて軽量性を保っている。
【００１５】
このように気泡５を潰して体積を減少させることにより、気泡混合軽量土の処理費が嵩まずかつ簡単に処理できるという本発明の効果を確認することができた。
【図面の簡単な説明】
【００１６】
【図１】気泡混合軽量土の処理方法を示す断面図である。
【符号の説明】
【００１７】
１  気泡混合軽量土
２  土砂
３  水
４  セメント
５  気泡
６  軟弱地盤
７  架設道路
８  再利用箇所
【図１】
2007270429.tif 000004
(57)【要約】【課題】  柿酢を使用するために、酢の臭いが強く飲みにくい。また、天然水、はちみつを使用するため、味も不均一になる。特定量の天然水、はちみつ、山椒の実と葉の汁、レモン汁を加えることにより、柿酢特有の臭いが緩和され、柿酢特有の色を残した、酸味の少ないあと味のよい柿酢ジュースを得る。【解決手段】  柿酢（品種：平核無、富有）１５〜２５ｃｃに、天然水１００ｃｃ、はちみつ１０〜２０ｇ、山椒の実と葉の汁３０〜４０ｃｃ、レモン汁５ｃｃを加えて、４〜７日間０〜１０度の温度範囲に放置すると沈殿物が生じるので、ろ過をすることで、柿酢特有の色を残し良好な酸味とあと味を兼ね備えた柿酢ジュースができる。【選択図】  なし【特許請求の範囲】
【請求項１】
柿（品種：平核無、富有）から製造した柿酢１５〜２５ｃｃに、天然水１００ｃｃ、は
ちみつ１０〜２０ｇ、山椒の実と葉の汁３０〜４０ｃｃ、レモン汁５ｃｃを混合して作る
ことを特徴とする柿酢ジュースの製造方法。
【発明の詳細な説明】
【技術分野】
【０００１】
柿酢の強い臭いを緩和するため、はちみつ、レモン汁を加え、４〜７日後にろ過を行い
味を均一にする。さらに、この柿酢のあと味を良くするため、山椒の実と葉の汁を加える。
４〜７日後、酢の働きにより沈殿物が生じる。この沈殿物をろ過することにより、柿酢ジ
ュースとなる。
【背景技術】
【０００２】
１０月下旬に完熟した柿（品種：平核無、富有）を収穫し、保存瓶に完熟柿１ｋｇを入
れ、「サッカロミセス  セルビッシェ」という酵母を２．５ｇ加え密閉する。空気が遮断
されるため、約２０日間でエチルアルコールができる。ふたを開けて、次に温度が２４度
前後の状態で約４カ月間、酢酸発酵させて、柿酢をつくる。この柿酢１５〜２５ｃｃに天
然水１００ｃｃ、はちみつ１０〜２０ｇを入れて、０〜１０度の温度内で４〜７日間放置
することで沈殿物が生じる。これをろ過することにより、柿酢ジュースが得られる。
【発明の開示】
【発明が解決しようとする課題】
【０００３】
柿酢を使用するために、酢の臭いが強く飲みにくい。また、天然水、はちみつを使用す
るため、味も不均一になる。
【課題を解決するための手段】
【０００４】
強い酢の臭いを緩和するために、レモン汁を使用することと、味の不均一をなくすため
に、山椒の実と葉の汁を用いて、温度が０〜１０度内で４〜７日間放置すると、沈殿物が
生じるがろ過することにより、柿酢特有の色を残した良好な酸味とあと味を兼ね備えた柿
酢ジュースができる。
【発明の効果】
【０００５】
レモン汁を使用することで、柿酢特有の強い臭いが緩和され、また、山椒の実と葉の汁を加えることで、柿酢特有の色を残して、良好な酸味とあと味を備えた柿酢ジースが完成した。
【発明を実施するための最良の形態】
【０００６】
柿酢（品種：平核無、富有）１５〜２５ｃｃに、天然水１００ｃｃ、はちみつ１０〜２
０ｇ、レモン汁５ｃｃ、山椒の実と葉の汁３０〜４０ｃｃを加えて、温度が０〜１０度内
で４〜７日間放置すると沈殿物が生じるので、ろ過することにより柿酢ジュースが得られ
る。
(57)【要約】【課題】    ペットの糞を回収する場合の不快感をなくし、なおかつ衛生的な作業が行える器具を提供する。【解決手段】  ハサミの先端に交換可能なサヤを装着してこの課題を解決する。【選択図】      図２
2007044031.tif 000002
【特許請求の範囲】
【請求項１】
先端に交換可能なサヤを設けたペットの糞回収器具
【発明の詳細な説明】
【技術分野】
【０００１】    この発明は、ハサミの先端に交換可能なサヤを取り付けたペットの糞回収器具である。
【背景技術】
【０００２】    従来、ペットの糞は手に袋を被せて回収するか、器具で挟んで回収していた。
【発明の開示】
【発明が解決しようとする課題】
【０００３】    しかし、次のような欠点があった。手に袋を被せて回収する場合は糞の感触が手に直接伝わっていた。器具で挟んで回収する場合は器具に糞が直接接触するために不衛生であったという不都合を解決することを課題とする。
【課題を解決するための手段】
【０００４】    この課題を解決するため本発明は、ハサミの先端の糞に直接接触する部分にサヤを被せて使用後にはサヤを交換する構造の器具である。
【発明の効果】
【０００５】    本発明により、糞を回収する場合に糞の感触が手に直接伝わらないようになり、糞に直接接触する部分は交換可能なサヤであるため器具を衛生的に保つことができる。
【発明を実施するための最良の形態】
【０００６】    以下、本発明を実施するための最良の形態について説明する。
ハサミの先端にサヤを取り付ける。ペットの糞を挟んで回収する。本発明は以上のような構造でこれを使用する場合は糞を回収したらサヤもその都度廃棄して新しい物に交換すればよい。
【図面の簡単な説明】
【０００７】
【図１】      ハサミとサヤの斜視図である。
【図２】      ハサミにサヤを装着した状態の斜視図である。
【符号の説明】
【０００８】  １  ハサミ
２  サヤ
【図１】
2007044031.tif 000003
【図２】
2007044031.tif 000004
(57)【要約】【課題】  チャーガは高価であり、今までは健康保持食品や薬理効果をうたった商品が中心であったために、一般食品への応用はこれまでに提案されてこなかった。【解決手段】  天然チャーガ（和名、カバノアナタケ）の粉末３ｇと水１リットルを混合し５分から３０分間沸騰させる、冷却後に濾布で濾過しチャーガの抽出液を得る。この抽出液を通常の小麦粉やそば粉に２５％から５０％混合し、そば、うどん、ラーメン、マカロニなどを作るものである。【選択図】        なし【特許請求の範囲】
【請求項１】
天然カバノアナタケの粉末１〜５ｇと水１リットルを混合し、５分から３０分間沸騰させる、冷却後に濾布で濾過しカバノアナタケの抽出液を得る。この抽出液を通常の小麦粉やそば粉に２５％から５０％混合したパスタ類。
【請求項２】
天然カバノアナタケの粉末１〜５ｇと水１リットルを混合し、５分から３０分間沸騰させ冷却する。冷却後に濾布で濾過しカバノアナタケの抽出液を得る。この抽出液を通常の小麦粉やそば粉に２５％から５０％混合したパスタ類の製造方法。
【発明の詳細な説明】
【技術分野】    この発明は、漢方薬のカバノアナタケをそば、うどん、ラーメン、マカロニなどのパスタに含ませた健康機能食品及びその製造方法に関する。
【背景技術】    カバノアナタケのメタノール抽出物がヒト繊維肉腫細胞株（ＨＴ１０８０）の細胞増殖と転移を抑制することを畠らは発見した。
カバノアナタケは免疫機能性を強化し恒常性バランスを整えるための組成物あるいは健康補助食品の素材として提案されている。
【非特許文献１】  Ｎａｔｕｒａｌ  Ｍｅｄｉｃｉｎｅｓ  ５９，２８−３５，（２００５）
【特許文献１】  特開２００４−３４４０７９
【特許文献２】  特開２００４−３１５５１２
【発明の開示】
【発明が解決しようとする課題】  チャーガは高価であり、今までは健康保持食品や薬理効果をうたった商品が中心であったために、一般食品への応用はこれまでに提案されてこなかった。そこで、食味と食感に優れたパスタ類の製造を目的とした。
【課題を解決するための手段】  ロシアのノボシビルスク州産の天然チャーガ（和名、カバノアナタケ）の粉末３ｇと地下水１リットルを混合し５分から３０分間沸騰させる、冷却後に濾布で濾過しチャーガの抽出液を得る。この抽出液を通常の小麦粉、そば粉及びその混合物に２５％から５０％混合し、うどん、そば、ラーメン、マカロニなどを作るものである。これらのパスタ類は生だけではなく、半生や乾燥品でも同様にして作ることが出来る。
【発明の効果】  本発明においては、小麦粉、そば粉その他にカバノアナタケの抽出液を混練りすることによりそば、うどん、ラーメン、マカロニ、焼きそば、皮類の食味や食感に優れたものを製造することができる。
【発明を実施するための最良の形態】
【実施例１】  ロシアのノボシビルスク州産の天然カバノアナタケの粉末３ｇと地下水１リットルを混合し３０分間沸騰させる、冷却後に濾布で濾過しカバノアナタケの抽出液を得た（固形分重量０．６％）。この抽出液にかん水（オリエンタル酵母工業株式会社製）を３％、食塩を１％になるようにそれぞれ加え完全に溶かした。次に準強力小麦粉（千葉製粉株式会社製、水分１４％、粗タンパク質含量１１．３％、灰分０．３５％）１ｋｇにかん水、食塩を含むチャーガ抽出溶液を３６０ｍｌを２回に分けて添加し、大竹製麺の攪拌機で１０分間混練してラーメンの生地を製造した。この生地を製麺ローラーで整形し約１．５ｍｍの麺帯とし、ＮＯ．２０の切り刃により生ラーメンを切り出した。カバノアナタケを使用しない対照区を同様な方法で製造した。
このカバノアナタケを含むもの（本発明）と含まない対照の生ラーメン１００ｇを、１リットルの熱湯で２．５分間茹でた後、直ちに冷水で洗い水切りした後に官能試験に供した。官能試験は茹で直後の麺につき、食味（味、香り）、のどごし、粘り、硬さの評価を、１１名のパネルで実施した。茹で後１０分間経過した麺については、茹で伸びを評価項目として同様に官能試験を行った。いずれの評価項目も対照区と本発明を比較しより好ましいと判断した人数を表１に示す。
食味、のどごし、粘り、硬さ及び茹で伸びで本発明のラーメンが好ましいと判断したパネルが多かった。
【表１】
2007044032.tif 000002
【実施例２】  中力小麦粉（日本製粉株式会社製、水分１４％、粗タンパク質含量１０．３％、灰分０．３５％）７００ｇとそば粉（おぐら製粉所製）３００ｇを混合し、実施例１で調整したカバノアナタケ抽出溶液を２８０ｍｌを２回に分けて添加し、攪拌機で１０分間混練してそばの生地を製造した。この生地を製麺ローラーで整形し約１．５ｍｍの麺帯を製造し、ＮＯ．２２の切り刃により生そばを切り出した。
【実施例３】  中力小麦粉（日本製粉株式会社製、水分１４％、粗タンパク質含量１０．３％、灰分０．３５％）１ｋｇに４％の食塩を含むチャーガ抽出溶液を４００ｍｌを２回に分けて添加し、大竹麺機の攪拌機で１０分間混練してうどんの生地を製造した。この生地を製麺ローラーで整形し約１．５ｍｍの麺帯を製造し、ＮＯ．２２の切り刃により生うどんを切り出した。
【実施例４】  強力小麦粉（千葉製粉株式会社製、水分１３％、粗タンパク質含量１２．０％、灰分０．４％）１ｋｇにかん水、食塩を含むチャーガ抽出溶液を３６０ｍｌを２回に分けて添加し、大竹麺機の攪拌機で１０分間混練りしてラーメンの生地を製造した。この生地を製麺ローラーで整形し約２ｍｍの麺帯を製造し、ＮＯ．２０の切り刃により生パスタを切り出した。
(57)【要約】【課題】生卵の黄身返しを行う際、従来生卵を布切れやストッキング等に包んで回転させる、いわゆる手動式であった為、安定した回転や回転数を維持できず、生卵のブレ割れや、出来上がりが不安定であった。【解決手段】回転台１、に取り付けてある容器３、の部分に生卵を入れ上蓋２、を横ズレ防止部７，８、に合わせて固定し、締め付けナット部４、で安定して回転させるようにすることによって、生卵のブレ割れを防止するとともに安定した回転と回転数を維持することができる。【特許請求の範囲】
【請求項１】
生卵を容器に収納し回転させることによって、生卵の中の黄身が破れて卵白を被い、黄身と卵白を逆転させるようにした自動黄身返し機。
【発明の詳細な説明】
【技術分野】
【０００１】本発明は、生卵を容器に固定して正逆２００回転以上回転させることによって、生卵の中の黄身が破れ、卵白の外側の殻の内側に移動する実験の決果を基に機械的かつ、自動的に生卵の黄身返しが出来るようにしたものである。
【背景技術】
【０００２】従来、実験的に生卵を布切れやストッキング等に包んで、その両端を持つて回転させて黄身返しを試みていたが、手動的では出来上がりが不安定で成功率も低く、量産も不可能であった。
【発明の開示】
【発明が解決しようとする課題】
【０００３】生卵の黄身返しは、安定した回転と回転数が必要である為、手動式ではそれが不可能であった。
【課題を解決する為の手段】
【０００４】本発明は、それらの課題を解決する為に発案されたもので、それを図面について説明すれば、回転台１、に取り付けられた容器３、の部分に生卵を入れ上蓋２、を横ズレ防止部７，８に合わせて固定し、締め付けナット部４、で安定して回転させるようにしたものである。
【発明の効果】
【０００５】このようにすれば、生卵自体のブレ割れを防止するとともに、安定した回転と回転数を維持することができ、量産も期待できるものである。
【実施例】
【０００６】黄身返しの実施後、生卵をゆでて殻を取り除くと、外側が黄身で内側が白身となり、例えばそれを輪切りにして料理の盛り付け又は、弁当等に利用すれば食事の華やかさが一段と増し、調理の向上にも役立つものである。
【図面の簡単な説明】
【０００７】
【図１】  回転台の平面図である。
【図２】  回転台の上蓋部分の平面図である。
【図３】  回転台の上蓋部分の側面図である。
【図４】  回転台の側面図である。
【図５】  回転台上蓋装着時の側面図である。
【図６】  回転台上蓋装着時の断面図である。
【符号の説明】
【０００８】  １、回転台
２、回転台上蓋部分
３、生卵容器
４、回転台固定ナット
５、回転軸
６、回転土台及び、回転伝導室
７、回転台上蓋横ズレ防止部
８、回転台横ズレ防止部
【図１】
2007044020.tif 000002
【図２】
2007044020.tif 000003
【図３】
2007044020.tif 000004
【図４】
2007044020.tif 000005
【図５】
2007044020.tif 000006
【図６】
2007044020.tif 000007
(57)【要約】【課題】毎日の犬の散歩後の煩わしい足拭きを、オシャレでスピーディーなものとするグッズを提供する。【解決手段】筒状のスポンジ（１）につるし紐（２）を付け、筒状のスポンジの中央に犬の足を挿入するための穴（３）を設け、穴を設けた方の筒状スポンジを斜めにカット（４）しておく。細部の汚れも拭き取れるよう先細りの部分（５）を設けることを特徴とする。【選択図】図１
2007044030.tif 000002
【特許請求の範囲】
【請求項１】
スポンジ（１）に吊るし紐（２）を付け、犬の足を挿入するためのくり貫き穴（３）を設け、斜めにカット（４）しておく。細部の汚れも拭けるよう先細りの部分（５）を設けた犬用足拭きスポンジ。
【請求項２】
吊るし紐（２）を付けたスポンジ（１）に犬の足を挿入するためのくり貫き穴（３）を設け、斜めにカット（４）しておく。細部の汚れも拭けるよう先細り部分（５）を設けた、請求項１の犬用足拭きスポンジ。
【請求項３】
犬の足を挿入するために軸の中央部に軸の中程までくり貫き穴（３）を設けたスポンジ（１）に吊るし紐（２）を取り付け、スポンジの穴をくり貫いた側を斜めにカット（４）し、細部の汚れも拭けるよう先細り部分（５）を設けた、請求項１の犬用足拭きスポンジ。
【発明の詳細な説明】
【技術分野】
【０００１】  この発明は、犬の足の汚れを簡単にきれいに拭けるスポンジに関するものである。
【背景技術】
【０００２】  従来、タオルなどで拭くのが一般的である。
【発明の開示】
【発明が解決しようとする課題】
【０００３】  これは、次のような欠点があった。
一般的には室内犬は、毎日の散歩の後必ず足を濡らしたタオルで拭く（もしくは水で洗って乾いたタオルで拭く）、拭いたタオルは洗って干さなければならない。タオルに付着した毛は取れにくく、タオルを洗うのにも手間がかかり毎日面倒である。
この発明は、そのような煩わしさを軽減させるためになされたものである。
【課題を解決するための手段】
【０００４】  筒状のスポンジ（１）につるし紐（２）を付け、筒状のスポンジの中央に犬の足を挿入するための穴（３）を設け、穴を設けた方の筒状スポンジを斜めにカット（４）しておく。細部の汚れも拭き取れるよう先細りの部分（５）を設ける。
本発明は、以上の構成よりなる犬用足拭きスポンジである。
【発明の効果】
【０００５】  今までに無かったおしゃれな犬用足拭きスポンジを使って、毎日の煩わしい犬の足拭きとタオルのあとかたずけを、ちょっぴり楽しくスピーディにする事ができる。
【発明を実施するための最良の形態】
【０００６】  以下、本発明を実施するための最良の形態について説明する。
きめの細かい筒状のスポンジ（１）を使い、洗った後等吊るしておけるよう、吊るし紐（２）を付けておく。筒状のスポンジの軸の中央に犬の足を挿入するための穴（３）を筒の中程までの深さにくり貫き、穴を設けた方の筒状スポンジを斜めにカット（４）しておく。肉球間の溝の汚れの払拭を容易とする為、スポンジに先細りの部分（５）を設ける。材質は耐久性に優れ、付着した毛等が容易に取り除けるようきめの細かなスポンジを使用する。見た目に可愛らしい多数のデザイン・色彩とし、大きさも犬の足サイズにあわせ選択可能とする為取り揃える。
【図面の簡単な説明】
【０００７】
【図１】  本発明の斜視図である。
【図２】  本発明の断面図である。
【符号の説明】
【０００８】  １  筒状のスポンジ
２  吊るし紐
３  犬の足を挿入するためくり貫いた穴
４  犬の足の挿入を容易にするため筒状のスポンジを斜めにカット
５  肉球間の溝の汚れの払拭を容易とするための先細り部分
【図１】
2007044030.tif 000003
【図２】
2007044030.tif 000004
(57)【要約】      （修正有）【課題】おにぎりを食するとき、おにぎりのどの角の部分から食しても、中身の具を味わいながら食することが出来る三角おにぎりの提供。【解決手段】  三角状おにぎりの片面、または、中心に、おかずとなる三枚羽プロペラ型中身の具が押し込まれているか、埋め込まれていて、初から食べ終わるまで、おにぎりのどの角の部分から食しても、中身の具の味を味わうることができる状態の三角おにぎり。【選択図】  図１
2007044029.tif 000002
【特許請求の範囲】
【請求項１】
三角状おむすびの片面側に、おかずとなる三枚羽プロペラ型の中身の具を押し込むか、または、三角状おにぎりの中心に同じく、おかずとなる三枚羽プロペラ型の中身の具を埋め込むことにより、おかずの中身の具が三枚羽プロペラ型になっているため、どの角の端から食しても。最初から食べ終わるまで、中身を具の味を味わえることを特徴とする三角おにぎり。
【発明の詳細な説明】
【技術分野】
【０００１】本発明は、三角状おにぎりの、どの角の部分から食しても、最初から食べ終わるまで、中身の具の味を味わえる三角状おにぎりに関するものである。
【背景技術】
【０００２】  従来の三角おにぎりは、おかずとなる中身の具は、おむすびの中心に埋め込まれているものが通常である。
市販されている三角おにぎりも同様で、おかずとなる中身の具は中心に埋め込まれているか、または、三角面の片側の中心部分に円状に押し込められているのが通常である。そのため、どの部分から食しても最初はご飯だけを食べることとなり、中心部分まで食べないと中身の具の味を味わえなかった。
【発明の開示】
【発明が解決しようとする課題】
【０００３】  そのために、次のような問題点があった。
三角おにぎりを食するときに、中身の具を味わえるのは、最初はご飯だけしか味わえず、中心まで食べないと、おかずとなる中身の具を味わうことが出来なかった。
本発明は、三角状おにぎりに関して、以上の問題を解決しようとするものである。
【課題を解決するための手段】
【０００４】  最初から食べ終わるまで中身を具の味を味わうために、三角状おむすびの片面におかずとなる中身の具を三枚羽プロペラ型に押し込むか、または、三角状お結びの中心に埋め込める。それにより、中身の具は三角おにぎりのどの部分の角の端近くまで埋め込むことができる。
これにより、三角おむすびのどの角の部分から食しても、最初から食べ終わるまで中身の具を味わえることが出来る。以上を特徴とする三角おにぎりである。
【発明の効果】
【０００５】  本発明は、三角状おにぎりの片面に、おかずとなる中身の具を、三枚羽プロペラ型に押し込めるか、または、埋め込むことにより、三角状おにぎりの、どの部分の角から食しても中身の具の味を味わうことが出来る。したがって、三角状おにぎりを食するにあたって、最初から食べ終わるまで、ご飯と中身の具を味わいながら食することが出来る。
【発明を実施するための最良の形態】
【０００６】以下、本発明の実施の形態を説明する。
（イ）三角状おにぎり（１）の片方の面に、おかずとなる三枚羽プロペラ型中身の具（２）を押し込むか、または、三角状おにぎり（１）の中心に、三枚羽プロペラ型中島の具（２）を埋め込む。
本発明は、以上の構成よりなっている。
本発明を食するときは、三角状おにぎり（１）の片方の面に、おかずとなる三枚羽プロペラ型中身の具（２）を、三枚羽プロペラ型に押し込むか、または、三角状おにぎり（１）の中心に埋め込む。それ故に、三角状おにぎり（１）の、どの角の部分の近くまで具が押し込まれるか、埋め込まれるため。本発明の三角状のおにぎりを、最初から食べ終わるまで、どの端の部分から食しても中身の具の味が味わえ、食することができる。
【図面の簡単な説明】
【０００７】
【図１】本発明の斜面図
【図２】本発明の正面図
【図３】本発明の断面図
【図４】本発明の正面図
【図５】本発明の横面図
【図７】本発明の断面図
【符号の説明】
【０００８】    １ご飯
２三枚羽プロペラ型の中身の具
【図１】
2007044029.tif 000003
【図２】
2007044029.tif 000004
【図４】
2007044029.tif 000005
【図５】
2007044029.tif 000006
【図６】
2007044029.tif 000007
【手続補正書】
【提出日】平成17年10月5日(2005.10.5)
【手続補正１】
【補正対象書類名】明細書
【補正対象項目名】０００７
【補正方法】変更
【補正の内容】
【０００７】
【図１】本発明の斜面図
【図２】本発明の正面図
【図３】本発明の断面図
【図４】本発明の正面図
【図５】本発明の横図面
【図６】本発明の断面図
【手続補正２】
【補正対象書類名】図面
【補正対象項目名】全図
【補正方法】変更
【補正の内容】
【図１】
2007044029.tif 000008
【図２】
2007044029.tif 000009
【図３】
2007044029.tif 000010
【図４】
2007044029.tif 000011
【図５】
2007044029.tif 000012
【図６】
2007044029.tif 000013